(57)【要約】【課題】縦枠の反りによる扉体の歪みを有効に防止して、経時的に発生する扉体の変形を効果的に阻止する。【解決手段】木製仏壇は、縦に４枚に分割された扉体３からなる外扉２を有する。４枚の扉体３は、２枚を折り畳みできるように連結して２組の扉ユニット２Ａとし、仏壇本体１の左右に開閉できるように連結している。各々の扉体３は、木製の縦枠５及び横枠６を上下に細長い長方形に連結してなる木枠４の内側に、上下に複数に分割された板材７を固定し、分割された板材７の間に中間枠８を設けて、中間枠８の両端を縦枠５に固定している。縦枠５と横枠６と中間枠８で囲まれる内側には、嵌入溝１２を設けて、板材７の外周縁部１３を嵌入している。さらに、嵌入溝１２に挿入される板材７の外周縁部１３の端面１３Ａと、嵌入溝１２の底面１２Ａとの間に弾性体１５を配設して、この弾性体１５で板材７の外周縁部１３を押圧して、板材７を定位置に保持している。【選択図】図２
2008200396.tif 000002
【特許請求の範囲】
【請求項１】
外扉(2)を有すると共に、この外扉(2)は、縦に４枚に分割されてなる４枚の扉体(3)からなり、４枚の扉体(3)は、２枚を折り畳みできるように連結して２組の扉ユニット(2A)とし、各々の扉ユニット(2A)を仏壇本体(1)の左右に開閉できるように連結しており、
さらに、各々の扉体(3)は、木製の縦枠(5)及び横枠(6)を上下に細長い長方形に連結してなる木枠(4)の内側に、上下に複数に分割された板材(7)を固定して、分割された板材(7)の間には、複数の中間枠(8)を設けて、この中間枠(8)の両端を縦枠(5)に接着して固定しており、
さらにまた、縦枠(5)と横枠(6)と中間枠(8)で囲まれる内側には、板材(7)の外周縁部(13)を嵌入する嵌入溝(12)を設けて、この嵌入溝(12)に板材(7)の外周縁部(13)を嵌入しており、
さらに、嵌入溝(12)には、ここに挿入される板材(7)の外周縁部(13)の端面(13A)と、嵌入溝(12)の底面(12A)との間に弾性体(15)を配設しており、この弾性体(15)が、嵌入溝(12)に嵌入される板材(7)の外周縁部(13)を押圧して、板材(7)を定位置に保持するようにしてなる木製仏壇。
【請求項２】
上下に分割された各々の板材(7)が、中央部分を前面に突出されてホテ部(14)を設けており、外周縁部(13)の厚さをホテ部(14)よりも薄くして、縦枠(5)と横枠(6)と中間枠(8)の嵌入溝(12)に嵌入している請求項１に記載される木製仏壇。
【請求項３】
板材(7)の背面に彫刻模様を設けている請求項１に記載される木製仏壇。
【請求項４】
縦枠(5)と横枠(6)と中間枠(8)が唐木である請求項１に記載される木製仏壇。
【請求項５】
板材(7)の左右に位置する縦枠(5)の嵌入溝(12)の少なくとも一方に弾性体(15)を配設して、この弾性体(15)で板材(7)の左右位置を位置決めすると共に、板材(7)の上下に位置する横枠(6)または中間枠(8)の嵌入溝(12)の少なくとも一方に弾性体(15)を配設して、この弾性体(15)で板材(7)の上下位置を位置決めする請求項１に記載される木製仏壇。
【請求項６】
板材(7)の左右または上下に位置して、互いに対向する嵌入溝(12)の両方に弾性体(15)を配設してなる請求項１に記載される木製仏壇。
【発明の詳細な説明】
【技術分野】
【０００１】
本発明は、内扉の外側に外扉を設けていると木製仏壇に関し、とくに外扉を唐木で製作している唐木仏壇に最適な木製仏壇に関する。
【背景技術】
【０００２】
外扉を４枚の扉体に分割している仏壇は、２枚の扉体を折り畳みできるように連結して扉ユニットとし、各々の扉ユニットを仏壇本体の両側に蝶番で連結している。この仏壇は、図１に示すように、各々の扉体２３を、縦枠２５と横枠２６を連結する木枠２４の内側に、板材２７を固定する構造としている。この構造の仏壇は、４枚に分割された縦枠２５が経時的に変形して歪みを発生する。とくに、４枚の扉体２３は、図１に示すように、互いに隣接して配置されることから、歪みが発生すると相対的に変位し、この歪みが非常に目立つ欠点がある。扉体の歪みは、特許文献１に記載するように、扉体を２枚の扉体に分割し、さらに縦枠と横枠の内側に、板材に代わって組子を入れて少なくできる。
【特許文献１】実用新案登録第３１０３１７５号
【発明の開示】
【発明が解決しようとする課題】
【０００３】
特許文献１の仏壇は、外扉を２枚の扉体に分割することから、外扉を閉じた状態で高級感のある仏壇にはできない。また、外扉の板材を組子とするので、外扉を閉じた状態でスッキリと綺麗なデザインにできず、さらに組子に塵や埃が付着し、これを除去するのに極めて手間がかかる欠点がある。さらにまた、この仏壇は、扉体が全体的に歪み、とくに板材の反りに起因する歪みを少なくできず、縦枠の経時的な反りによる歪みを有効に防止できない。外扉を４枚の扉体に分割する仏壇は、各々の扉体の縦枠が相当に細くて長くなることから、反りが発生しやすい。さらに困ったことに、縦枠の反りで扉体が歪むと、隣接する扉体との隙間が変化することから、外扉を閉じた状態で、縦枠の歪みが非常に目立つ欠点がある。
【０００４】
本発明は、さらにこの欠点を解決することを目的に開発されたものである。本発明の重要な目的は、縦枠の反りによる扉体の歪みを有効に防止して、経時的に発生する４枚の扉体の変形を効果的に阻止できる木製仏壇を提供することにある。
【課題を解決するための手段】
【０００５】
本発明の木製仏壇は、前述の目的を達成するために以下の構成を備える。
木製仏壇は、外扉２を有する。外扉２は、縦に４枚に分割されてなる４枚の扉体３からなる。４枚の扉体３は、２枚を折り畳みできるように連結して２組の扉ユニット２Ａとし、各々の扉ユニット２Ａを仏壇本体１の左右に開閉できるように連結している。各々の扉体３は、木製の縦枠５及び横枠６を上下に細長い長方形に連結してなる木枠４の内側に、上下に複数に分割された板材７を固定して、分割された板材７の間には、複数の中間枠８を設けて、この中間枠８の両端を縦枠５に接着して固定している。さらにまた、縦枠５と横枠６と中間枠８で囲まれる内側には、板材７の外周縁部１３を嵌入する嵌入溝１２を設けて、この嵌入溝１２に板材７の外周縁部１３を嵌入している。さらに、この嵌入溝１２には、ここに挿入される板材７の外周縁部１３の端面１３Ａと、嵌入溝１２の底面１２Ａとの間に弾性体１５を配設している。この弾性体１５は、嵌入溝１２に嵌入される板材７の外周縁部１３を押圧して、板材７を定位置に保持している。
【０００６】
本発明の請求項２の木製仏壇は、請求項１の構成に加えて、上下に分割された各々の板材７が、中央部分を前面に突出してホテ部１４を設けており、外周縁部１３の厚さをホテ部１４よりも薄くして、縦枠５と横枠６と中間枠８の嵌入溝１２に嵌入している。
【０００７】
本発明の請求項３の木製仏壇は、請求項１の構成に加えて、板材７の背面に彫刻模様を設けている。
【０００８】
本発明の請求項４の木製仏壇は、請求項１の構成に加えて、縦枠５と横枠６と中間枠８を唐木としている。
【０００９】
本発明の請求項５の木製仏壇は、板材７の左右に位置する縦枠５の嵌入溝１２の少なくとも一方に弾性体１５を配設して、この弾性体１５で板材７の左右位置を位置決めすると共に、板材７の上下に位置する横枠６または中間枠８の嵌入溝１２の少なくとも一方に弾性体１５を配設して、この弾性体１５で板材７の上下位置を位置決めしている。
【００１０】
本発明の請求項６の木製仏壇は、板材７の左右または上下に位置して、互いに対向する嵌入溝１２の両方に弾性体１５を配設している。
【発明の効果】
【００１１】
本発明の仏壇は、縦枠の反りによる扉体の歪みを有効に防止して、経時的に発生する４枚の扉体の変形を効果的に阻止できる特徴がある。それは、本発明の木製仏壇が、外扉を４枚に分割している各々の扉体の板材を、上下に複数に分割して、分割された板材の間に中間枠を設け、この中間枠の両端を縦枠に接着して固定すると共に、縦枠と横枠と中間枠で囲まれる内側には、板材の外周縁部を嵌入する嵌入溝を設けて、この嵌入溝に板材の外周縁部を嵌入しており、さらに、この嵌入溝に挿入される板材の外周縁部の端面と、嵌入溝の底面との間に弾性体を配設しているからである。
【００１２】
本発明の木製仏壇は、細くて長くなる木製縦枠の中間を中間枠で連結して、この中間枠を配置する部分では、板材を分割して中間枠を厚くて強い構造としているので、中間枠でもって縦枠の中間をしっかりと強靱な状態で連結して、反りや変形を確実に阻止できる。さらに、本発明の木製仏壇は、扉体の嵌入溝に配設する弾性体で、嵌入溝に嵌入される板材の外周縁部を押圧して板材を定位置に保持するので、この弾性体でもって、板材の経時的な変形を弾性的に吸収して、板材の変形に起因する扉体の反りや変形を確実に阻止できる。
【００１３】
以上のように、本発明の木製仏壇は、中間枠で縦枠の横方向の反りを確実に阻止しながら、扉体の内側の嵌入溝に嵌入される板材の変形を弾性体で吸収して、扉体の反りや変形を確実に阻止できることから、４枚の扉体を接近して配設する外扉において、隣の扉体との隙間などが不均一になる状態を確実に阻止できる。このため、本発明の木製仏壇は、長期間にわたって、４枚に分割された扉体の歪みを確実に阻止し、外扉を閉じた状態にあっても、扉体の反りに起因する歪みを確実に阻止できる特徴を実現する。
【発明を実施するための最良の形態】
【００１４】
以下、本発明の実施例を図面に基づいて説明する。ただし、以下に示す実施例は、本発明の技術思想を具体化するための木製仏壇を例示するものであって、本発明は木製仏壇を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図２に示す仏壇は、内扉（図示せず）の外側に外扉２を設けている。外扉２は、仏壇本体１に蝶番９を介して開閉できるように連結している。外扉２は、縦に４枚に分割している４枚の扉体３からなる。４枚の扉体３は、２枚を折り畳みできるように連結して２組の扉ユニット２Ａとしている。２枚の扉体３は、蝶番（図示せず）を介して折曲できるように連結されて、折り畳みできるように連結される。図において、４枚の扉体３は、右側２枚の扉体３を折り畳みできるように連結して、右側の扉ユニット２Ａとし、この右側の扉ユニット２Ａを、仏壇本体１の右側に連結している。また、左側２枚の扉体３を折り畳みできるように連結して、左側の扉ユニット２Ａとし、左側の扉ユニット２Ａを、仏壇本体１の左側に連結している。右側と左側の扉ユニット２Ａは、仏壇本体１の前面開口部を開閉できるように、仏壇本体１に蝶番９を介して連結される。扉ユニット２Ａを構成する２枚の扉体３は、外扉２を閉じる状態、すなわち、隣接する扉体３が平面状に連結される状態で、隣接する扉体３との隙間が１ｍｍ以下となるように、蝶番を介して連結される。
【００１７】
扉ユニット２Ａを構成する各々の扉体３は、図２と図３に示すように、木枠４の内側に板材７を固定している。木枠４は、木製の縦枠５と木製の横枠６を、その両端で直角に連結して、上下に細長い長方形の枠形状としている。板材７は、この木枠４の内側に固定される。図２の扉体３は、上下に３枚に複数に分割された板材７を木枠４の内側に固定している。分割された板材７の間には中間枠８を設けている。図２の扉体３は、中間枠８で木枠４の内側を３ブロックの区画して、各々のブロックに分割された板材７、すなわち３枚の板材７を固定している。
【００１８】
縦枠５と横枠６は、紫檀や黒檀等の唐木を細長い棒状に加工して製作される。唐木の縦枠５と横枠６は、仏壇として理想的な美しい木目模様と色彩をしている。ただ、唐木の縦枠５は、経時的に反りが発生しやすいので、反りを確実に阻止する構造が大切である。本発明の仏壇は、縦枠５の反りを確実に阻止できることから、縦枠５を唐木とする仏壇、とくに、縦枠５と横枠６の両方を唐木とする仏壇に最適である。ただし、本発明の木製仏壇は、縦枠と横枠を、唐木以外の天然木を加工して製作し、表面を着色し、あるいはプリントし、あるいはまた化粧シートを接着して、表面を唐木に近似する外観とすることもできる。唐木でない天然木からなる縦枠と横枠は、唐木に比較して反りは少ないが、天然木であることから、経時的に反りが発生する。本発明の仏壇は、縦枠の反りを、以下の独特の構造で確実に防止する。
【００１９】
扉体３は、中間枠８で木枠４の内側を複数のブロックに分割しており、この中間枠８の両端を縦枠５に固定して、縦枠５の反りを防止している。縦枠５の反りを防止する中間枠８は、両端を縦枠５の対向する内側に接着して連結している。木材は、一般に、木目の縦方向に伸縮しにくく、木目の横方向に伸縮しやすい性質がある。縦枠５と横枠６と中間枠８は、木目の縦方向に沿う細長い棒状に加工している。したがって、上下に細長い扉体３の縦枠５は、左右方向に反りが生じやすくなっている。この扉体３は、縦枠５の上下の両端を横枠６で連結し、縦枠５の両端部における反りを横枠６で防止すると共に、縦枠５の中間を中間枠８で連結し、縦枠５の中間部における反りを中間枠８で防止する。とくに、横枠６と中間枠８は、木目の縦方向に沿う細長い棒状に加工して、この木目を左右方向とする状態で対向する縦枠５を連結するので、縦枠５の反りを確実に防止できる。
【００２０】
さらに、中間枠８は、図４の分解斜視図に示すように、より確実に、縦枠５に外れないように固定するために、その両端には嵌着突出部１０を設けている。中間枠８は、図３と図５に示すように、前面と背面とを、木枠４の表面と同一面となるように加工して、前後の中間に嵌着突出部１０を設けている。縦枠５は、この嵌着突出部１０を嵌着する嵌着凹部１１を対向する内側に設けている。嵌着凹部１１の内形は嵌着突出部１０の外形に等しく、嵌着突出部１０を挿入して嵌着する。中間枠８は、嵌着突出部１０を縦枠５の嵌着凹部１１に挿入して、嵌着状態で嵌着突出部１０を嵌着凹部１１に接着して、中間枠８を縦枠５にしっかりと外れないように固定している。
【００２１】
さらに、図３と図４に示す中間枠８は、両端部の前面と背面を、先端に向かって幅が狭くなる山形に加工して、山形嵌入部１６を設けている。また、中間枠８の両端を固定する縦枠５の内側面には、中間枠８の山形嵌入部１６を嵌合させる嵌合凹部１７を設けている。この構造は、中間枠８の両端の山形嵌入部１６を縦枠５の嵌合凹部１７に嵌入して、中間枠８を正確に位置決めしながら連結できる特徴がある。さらに、中間枠８の両端部を山形に成形して縦枠５と連結する構造は、外観を美しくできる特徴もある。とくに、図２に示すように、全ての扉体３の同じ高さに中間枠８を設ける外扉２は、閉じた状態で隣接する扉体３の中間枠８が直線状に配置される。この外扉２は、中間枠８を設けた部分の歪みを防止しながら、デザインバランスを向上できる。
【００２２】
本発明の仏壇は、縦枠５の中間に複数本の中間枠８を設けて、木枠４の内側を３ブロック以上に分割し、分割された各々のブロックに板材７を固定する。図２の仏壇は、縦枠５の中間に２本の中間枠８を固定して、扉体３を３ブロックに分割している。中間枠８は、横枠６と平行な姿勢、すなわち水平な姿勢で両端を縦枠５に連結している。ただし、本発明の仏壇は、縦枠の中間に３本以上の中間枠を固定して、扉体を４ブロック以上に分割し、各々のブロックに板材を固定することもできる。また、中間枠を横枠と平行な姿勢とせず、横枠に対して傾斜姿勢でその両端を縦枠に連結することもできる。
【００２３】
さらに、扉体３は、図３ないし図９に示すように、縦枠５と横枠６と中間枠８で囲まれる内側に、板材７の外周縁部１３を嵌入する嵌入溝１２を設けて、この嵌入溝１２に板材７の外周縁部１３を嵌入して連結している。縦枠５は、図３、図４、及び図６に示すように、対向する内側であって板材７を連結する部分に嵌入溝１２を設けている。横枠６は、図７に示すように、対向する内側に嵌入溝１２を設けている。中間枠８は、その上下に板材７を連結するので、図８に示すように、上下の両側に嵌入溝１２を設けている。嵌入溝１２は、板材７の外周縁部１３を嵌入して連結するので、板材７の外周縁部１３の厚さにほぼ等しい幅として、板材７を隙間なく嵌入溝１２に嵌入できるようにしている。
【００２４】
板材７は、紫檀や黒檀等の唐木を板状に加工して製作される。ただ、板材も、唐木以外の天然木を板状に加工して製作し、表面を着色し、あるいはプリントし、あるいはまた化粧シートを接着して、表面を唐木に近似する外観とすることができる。このように、天然木からなる板材７も、経時的に変形しやすくなる。板材７が変形すると、この板材７が固定される扉体３が変形する原因となる。たとえば、板材７は、木目の縦方向が上下方向となるように加工される。したがって、この板材７は、木目の横方向となる左右方向に変形しやすくなる。板材７の左右方向への変形は、板材７の左右に位置する縦枠５を変形させる原因となる。とくに、縦枠５は、上下方向に細長く成形されているので、左右方向に反りが発生しやすく、板材７がこの方向に変形すると、縦枠５を左右方向に変形させる原因となる。本発明の木製仏壇は、板材７の変形に起因する扉体３の変形を阻止するために、嵌入溝１２に嵌入される板材７の対向する外周縁部１３を嵌入溝１２に接着して固定しない。扉体３は、図６ないし図９に示すように、嵌入溝１２に弾性体１５を配設しており、この弾性体１５でもって、板材７の外周縁部１３を押圧して、板材７を所定の位置に保持する構造としている。これらの図の扉体３は、嵌入溝１２に挿入される板材７の外周縁部１３の端面１３Ａと、嵌入溝１２の底面１２Ａとの間に弾性体１５を配設している。嵌入溝１２に配設される弾性体１５は、外周縁部１３の端面１３Ａを弾性的に押圧して、嵌入溝１２に嵌入される板材７を定位置に保持する。この構造は、板材７が経時的に変形しても、板材７の外周縁部１３に押圧される弾性体１５が弾性的に変形して、板材７が直接に扉体３を変形させるのを阻止する。すなわち、板材７の変形は弾性体１５で吸収されて、扉体３の変形が阻止される。
【００２５】
図９に示す弾性体１５は板バネ１５Ａである。板バネ１５Ａである弾性体１５は、弾性金属板を所定の形状に成形して制作される。図に示す板バネ１５Ａは、細長い弾性金属板の中央部を円弧状に湾曲して弾性変形部１５ａとすると共に、両端部に折曲片１５ｂを設けている。この形状の板バネ１５Ａは、簡単かつ安価に多量生産できる。ただ、板バネである弾性体は、弾性金属板をＵ字状に湾曲し、あるいはＶ字状に切曲して制作することもできる。さらに、本発明は、弾性体を板バネに特定しない。弾性体には、コイルスプリングやゴム状弾性体も使用できる。コイルスプリングやゴム状弾性体からなる弾性体も、外周縁部の端面を弾性的に押圧するように、嵌入溝に挿入される板材の外周縁部の端面と、嵌入溝の底面との間に配設される。
【００２６】
嵌入溝１２に配設される弾性体１５は、嵌入溝１２の底面１２Ａに固定し、あるいは板材の外周縁部の端面に固定して定位置に配設される。図９に示す板バネ１５Ａは、一方の折曲片１５ｂを嵌入溝１２の底面１２Ａに固定して所定の位置に配置している。板バネ１５Ａの折曲片１５ｂは、たとえば、釘やネジ等の固定具１８を介して嵌入溝１２の底面１２Ａに固定され、あるいは、図示しないが、嵌入溝の底面に設けた位置決凹部に挿入して定位置に固定される。この板バネ１５Ａは、弾性変形部１５ａの頂上部を外周縁部１３の端面１３Ａに接触させる状態で配置され、この部分が板材７の外周縁部１３に押圧されて弾性変形する。ただ、板バネは、板材に固定することもできる。この板バネは、一方の折曲片を板材の端面に固定し、弾性変形部の頂上部を嵌入溝の底面に接触させる状態で弾性変形する。すなわち、弾性体１５は、板材７の外周縁部１３の端面１３Ａと、嵌入溝１２の底面１２Ａとの間に配設されて、外周縁部１３の端面１３Ａを弾性的に押圧する。
【００２７】
嵌入溝１２に配設される弾性体１５は、図９に示すように、板材７の外周縁部１３の端面１３Ａと、嵌入溝１２の底面１２Ａとの間に調整隙間１９を形成している。この扉体３は、弾性変形する弾性体１５の変形量に応じて調整隙間１９の幅を変化させて、板材７の経時的な変形を吸収し、あるいは木枠４や中間枠８と板材７との寸法誤差や位置ずれを吸収する。したがって、この扉体３は、板材７の変形に起因する扉体３の変形を阻止すると共に、枠体４及び中間枠８と板材７との相対的な位置ずれを吸収して、板材７を所定の位置に保持できる。さらに、この扉体３は、板材７の外周縁部１３の端面１３Ａと、嵌入溝１２の底面１２Ａとの間に隙間ができるので、扉体３を製造する工程において、縦枠５に横枠４と中間枠８とを連結して内側を開口した状態で、板材７の外周縁部１３を嵌入溝１２に嵌入できる特徴もある。すなわち、この扉体３は、枠体４を成形後に、板材７を嵌入して連結できる。
【００２８】
弾性体１５は、図９に示すように、板材７の上下左右に位置する嵌入溝１２であって、互いに対向する嵌入溝１２の一方または両方に配設することができる。図６と図９に示す扉体３は、板材７の左右に位置して、互いに対向する嵌入溝１２の一方にのみ弾性体１５を配置している。図６と図９の扉体は、図において板材７の右側に位置する縦枠５の嵌入溝１２に弾性体１５を配置して、左側に位置する縦枠５の嵌入溝１２には弾性体１５を配置していない。この扉体３は、板材７の左側の端面１３Ａを嵌入溝１２の底面１２Ａに当折させて、右側の端面１３Ａを、弾性体１５を介して嵌入溝１２の底面１２Ａに当折させている。この扉体３は、板材７の右側に位置する嵌入溝１２に配設される弾性体１５を弾性変形させて、板材７の左右方向のずれや変形を吸収して板材７を所定の位置に保持する。したがって、図の扉体３は、弾性体１５を配設する側の嵌入溝１２を、弾性体１５を配設しない側の嵌入溝１２よりも深く成形している。
【００２９】
また、図７ないし図９に示す扉体３は、板材７の上下に位置して、互いに対向する嵌入溝１２の一方にのみ弾性体１５を配置している。これらの扉体３は、図において下側に位置する嵌入溝１２に弾性体１５を配置して、上側に位置する嵌入溝１２には弾性体１５を配置していない。この扉体３は、板材７の上側の端面１３Ａを嵌入溝１２の底面１２Ａに当折させて、下側の端面１３Ａを、弾性体１５を介して嵌入溝１２の底面１２Ａに当折させている。この扉体３は、板材７の下側に位置する嵌入溝１２に配設される弾性体１５を弾性変形させて、板材７の上下方向のずれや変形を吸収して板材７を所定の位置に保持する。したがって、図の扉体３は、弾性体１５を配設する側の嵌入溝１２を、弾性体１５を配設しない側の嵌入溝１２よりも深く成形している。ただ、扉体は、板材の上側に位置する嵌入溝に弾性体を配設することもできる。
【００３０】
さらに、図９に示す扉体３は、板材７の右側に位置する嵌入溝１２に、上下に離して２個の弾性体１５を配置し、下側に位置する嵌入溝１２の中央部に１個の弾性体１５を配置している。ただ、扉体は、図示しないが、板材の左右に位置する嵌入溝の一方、または両方に、１個、あるいは３個以上の弾性体を配置することができ、また、板材の上下に位置する嵌入溝の一方、または両方に、２個以上の弾性体を配置することもできる。さらに、扉体は、図示しないが、板材の上下、あるいは左右に対向する嵌入溝の両方に弾性体を配設することもできる。この扉体は、互いに対向する嵌入溝を同じ深さに成形して、板材をバランスよく中央部に配設できる。
【００３１】
以上の扉体３は、互いに対向する縦枠５の内側に設けた嵌入溝１２に配設される弾性体１５で、板材７の左右方向の変形やずれを吸収して位置決めし、また、互いに対向する横枠６と中間枠８、または中間枠８同士の内側に設けた嵌入溝１２に配設される弾性体１５で、板材７の上下方向の変形やずれを吸収して位置決めする。このように、板材７の上下位置と左右位置とを位置決めできる扉体３は、枠体４及び中間枠８に対して板材７を正確な位置に配置しながら、これらの相対的な位置ずれを吸収できる。とくに、対向する縦枠５の内側に設けた嵌入溝１２に配設される弾性体１５は、上下方向に長くて反りが発生しやすい縦枠５や板材７の変形やずれを理想的に吸収できる。ただ、弾性体は、必ずしも板材の上下に対向する嵌入溝と左右に対向する嵌入溝の両方に配設する必要はない。弾性体は、上下に対向する嵌入溝と、左右に対向する嵌入溝のいずれか一方にのみ配設することもできる。
【００３２】
図６ないし図８は、板材７の外周縁部１３を、縦枠５と横枠６と中間枠８の嵌入溝１２に入れて連結する部分の拡大断面図を示している。これらの図に示す板材７は、中央部分を前面に突出させてホテ部１４を設け、外周縁部１３の厚さをホテ部１４よりも薄くして、ホテ部１４よりも薄い外周縁部１３を、縦枠５と横枠６と中間枠８の嵌入溝１２に嵌入している。さらに、図に示す板材７は、ホテ部１４の厚さを、枠体４や中間枠８よりも薄くしている。さらに、図２と図３の斜視図に示す仏壇は、ホテ部１４のコーナー部を湾曲させる形状に加工している。さらに、図示しないが、板材７は、背面に彫刻模様を設けている。板材７の背面に彫刻模様を有する外扉２は、開いた状態において、彫刻模様を外側に表出させて、崇高な外観にできる特長がある。
【００３３】
さらに、図１０の扉体３は、板材７の周縁部に位置する縦枠５、横枠６、及び中間枠８の内側部を厚く成形して装飾凸部２０としている。この扉体３は、それぞれの装飾凸部２０を縦横に連結して、板材７の周囲を装飾する枠形状としている。この扉体３は、縦枠５と横枠６と中間枠８の表面を枠形状に連結された装飾凸部２０で美しい外観とすると共に、この装飾凸部２０を扉体３の補強リブとして、扉体３の反りを有効に防止できる特徴がある。
【図面の簡単な説明】
【００３４】
【図１】従来の木製仏壇の外扉の扉体が歪んだ状態を示す正面図である。
【図２】本発明の一実施例にかかる木製仏壇の斜視図である。
【図３】図２に示す木製仏壇の扉体の断面斜視図である。
【図４】図３に示す扉体の分解斜視図である。
【図５】図３に示す扉体のＡ−Ａ線断面図である。
【図６】図３に示す扉体のＢ−Ｂ線断面図である。
【図７】図３に示す扉体のＣ−Ｃ線断面図である。
【図８】図３に示す扉体のＤ−Ｄ線断面図である。
【図９】図３に示す扉体のＥ−Ｅ線断面図である。
【図１０】扉体の他の一例を示す断面斜視図である。
【符号の説明】
【００３５】
１…仏壇本体
２…外扉                ２Ａ…扉ユニット
３…扉体
４…木枠
５…縦枠
６…横枠
７…板材
８…中間枠
９…蝶番
１０…嵌着突出部
１１…嵌着凹部
１２…嵌入溝            １２Ａ…底面
１３…外周縁部          １３Ａ…端面
１４…ホテ部
１５…弾性体            １５Ａ…板バネ
１５ａ…弾性変形部
１５ｂ…折曲片
１６…山形嵌入部
１７…嵌合凹部
１８…固定具
１９…挿入隙間
２０…装飾凸部
２３…扉体
２４…木枠
２５…縦枠
２６…横枠
２７…板材
【図１】
2008200396.tif 000003
【図２】
2008200396.tif 000004
【図３】
2008200396.tif 000005
【図４】
2008200396.tif 000006
【図５】
2008200396.tif 000007
【図６】
2008200396.tif 000008
【図７】
2008200396.tif 000009
【図８】
2008200396.tif 000010
【図９】
2008200396.tif 000011
【図１０】
2008200396.tif 000012